(57)【特許請求の範囲】
【請求項１】
最上階床に形成された階段設置用開口部を覆う階段設置部用仮設床であって、
前記階段設置用開口部に配設される階段は、移動方向転換部において、上下階移動時に少なくとも一回移動方向が転換するものであり、下階から前記移動方向転換部へと亘る下階側階段と、前記移動方向転換部から最上階へと亘る最上階側階段と、を有して構成されるとともに、前記階段設置部用仮設床の少なくとも一部は、前記移動方向転換部の上方を覆っており、
前記階段設置部用仮設床は、前記階段設置用開口部の周縁に沿うように取りつけられる枠部と、
該枠部の内部開口を覆うとともに、前記枠部に対して開閉可能に取りつけられた開閉可能床と、を有して構成されており、
該開閉可能床は、前記移動方向転換部において、下階から前記移動方向転換部へと到達する経路上の上部を被覆する下階側被覆床と、最上階から前記移動方向転換部へと到達する経路上の上部を被覆する最上階側被覆床と、に分割されて構成されていることを特徴とする階段設置部用仮設床。
【請求項２】
前記枠部は、略矩形上の枠体であり、
前記下階側被覆床及び前記最上階側被覆床は、略矩形状の板体であって、一辺が前記枠部に対して回動可能に取りつけられていることを特徴とする請求項１に記載の階段設置部用仮設床。
【請求項３】
前記下階側被覆床は、前記枠体において、下階より前記移動方向転換部への移動経路の延長上の端部に配設される辺の、下階より前記移動方向転換部へ到達する経路側に回動可能に取りつけられており、
前記最上階側被覆床は、前記下階側被覆床が回動可能に取りつけられた辺と略直交する辺のうち、最上階より前記移動方向転換部へ到達する経路側の辺に回動可能に取りつけられていることを特徴とする請求項２に記載の階段設置部用仮設床。
【請求項４】
前記枠部において、下階より前記移動方向転換部への移動経路の延長上の端部に配設される辺の、前記階段側を向く面の中央部には、立体形状の第一ストッパが前記階段方向へ向けて突出形成されており、
前記下階側被覆床及び前記最上階側被覆床は、前記第一ストッパにより、前記枠部に対して下方へ回動することが阻止されて、上方へのみ回動開放されるよう構成されていることを特徴とする請求項３に記載の階段設置部用仮設床。
【請求項５】
前記枠部において、下階より前記移動方向転換部への移動経路の延長上の端部に配設される辺と対向して配設される辺の、前記階段と反対側を向く面の中央部には、立体形状の第二ストッパが形成されており、前記下階側被覆床及び前記最上階側被覆床は、前記第二ストッパにより、前記枠部に対して下方へ回動することが阻止されることを特徴とする請求項４に記載の階段設置部用仮設床。
【請求項６】
前記下階側被覆床の下面において、前記最上階側被覆床側の端辺に沿うように下方に突出する下階側補強板が取付けられるとともに、前記最上階側被覆床の下面において、前記下階側被覆床側の端辺全長に沿うように下方に突出する最上階側補強板が取付けられており、
前記下階側補強板及び前記最上階側補強板の端部には、前記下階側被覆床及び前記最上階側被覆床を閉塞した際に、前記第一ストッパ及び前記第二ストッパと嵌合する嵌合用の切欠き部が形成されていることを特徴とする請求項５に記載の階段設置部用仮設床。
【請求項７】
前記下階側被覆床において、前記枠部に回動可能に取りつけられる辺と対抗する辺側と、前記枠部と、の間には空隙が形成されていることを特徴とする請求項４乃至請求項６いずれか一項に記載の階段設置部用仮設床。
【発明の詳細な説明】
【技術分野】
【０００１】
本発明は、階段設置部用仮設床に係り、特に、住宅の内部階段吹き抜け部において、最上階の転落防止床及び作業床として機能する階段設置部用仮設床に関するものである。
【背景技術】
【０００２】
複数階層の住宅には、内部階段を設け、上下階の連絡通路とする。
このような内部階段は、階段設置用の空間（吹き抜け部等）に設置されるのであるが、この内部階段を設置した後は、最上階床に階段配設部分の空間が形成されることとなる。
この空間は、住宅施工時において、最上階部分で様々な作業を行う際、転落等の危険があり、このための対策として、開口周縁に柵や手摺が配設される。
また、このような空間を作業床として使用するためには当該空間を一時的に閉塞する仮設床が使用されることがある（例えば、特許文献１参照）。
【０００３】
特許文献１には、作業足場が開示されている。
この作業足場によると、階段の登り口である最上階の開口部に、作業床付階段用布枠を設置して、当該開口部を閉塞する。
このように最上階の開口部が閉塞されることにより、最上階での作業者が開口部より転落することを防止することができる。
また、作業床付階段用布枠を構成する作業床は、布枠に対して開閉自在に取付られており、階段を上ってきた作業員は、この作業板を開放して最上階へと上がることができる。
更に、作業員が最上階へと上がった後は、作業床を閉塞して転落を防止することができるとともに、作業用の足場として機能する。
【先行技術文献】
【特許文献】
【０００４】
【特許文献１】特開平０７−２９２９６６号公報
【発明の概要】
【発明が解決しようとする課題】
【０００５】
しかしながら、特許文献１の技術では、工事現場の作業足場のように、最上階と下階との間に十分に高低差がとれる場合には、有効に機能するが、例えば、住宅の折り返し階段や回り階段等で、上下階の高低差が無い場合には、下階から登ってきた作業員が踊り場に到達する時点で、頭部が作業床の下面に接触する恐れがある。
また、折り返し階段の踊り場や回り階段の方向転換箇所において、最上階へ向けて方向転換する際には、特に高さ方向が狭小であるため、効率が悪いという問題点があった。
このような課題を受け、特に、住宅の折り返し階段や回り階段等、下階から最上階へいくために方向転換が必要な階段において、上下階の高低差が小さい場合でも、効率的に通行できる作業用及び転落防止用の仮設床の開発が望まれていた。
【０００６】
本発明の目的は、上記各問題点を解決することにあり、下階と最上階との移動途中に方向転換が必要な階段において、上下階の高低差が小さい場合でも、効率的に通行できるとともに、転落防止用床及び作業足場としての機能を有する階段設置部用仮設床を提供することにある。
【課題を解決するための手段】
【０００７】
上記課題は、請求項１に係る階段設置部用仮設床によれば、最上階床に形成された階段設置用開口部を覆う階段設置部用仮設床であって、前記階段設置用開口部に配設される階段は、移動方向転換部において、上下階移動時に少なくとも一回移動方向が転換するものであり、下階から前記移動方向転換部へと亘る下階側階段と、前記移動方向転換部から最上階へと亘る最上階側階段と、を有して構成されるとともに、前記階段設置部用仮設床の少なくとも一部は、前記移動方向転換部の上方を覆っており、前記階段設置部用仮設床は、前記階段設置用開口部の周縁に沿うように取りつけられる枠部と、該枠部の内部開口を覆うとともに、前記枠部に対して開閉可能に取りつけられた開閉可能床と、を有して構成されており、該開閉可能床は、前記移動方向転換部において、下階から前記移動方向転換部へと到達する経路上の上部を被覆する下階側被覆床と、最上階から前記移動方向転換部へと到達する経路上の上部を被覆する最上階側被覆床と、に分割されて構成されていることにより解決される。
【０００８】
このように、本発明に係る階段設置部用仮設床によれば、開閉可能床を、最上階側被覆床と下階側被覆床との２枚の床に分割構成した。
本発明に係る階段設置部用仮設床は、移動方向転換部を有する階段が設置される空間に適用されるものである。
この移動方向転換部とは、例えば、折り返し階段の踊り場、回り階段のＵ字又はコ字屈曲部に相当する。
つまり、下階から上がってきた人が、ターンして最上階へと向かう部分である。
そして、本発明に係る階段設置部用仮設床は、最上階床の階段設置用開口部であって、この移動方向転換部の上方にあたる位置に配置される。
よって、最上階床の階段設置用開口部を普段は覆って、作業中の転落を防止し、作業性を良好とするとともに、移動方向転換部に至る直前及び移動方向転換部において、階段を昇降する作業員の通行性を良好とすることができる。
このような構成において、開閉可能床を分割構成としたことにより、例えば、下階より上がってくる作業員は、移動方向転換部に至る直前又は移動方向転換部において、下階側被覆部を開放することにより、姿勢をかがめたり頭を打つことなく方向転換部に到達し、次いで、最上階側被覆部を開放することにより、効率よく最上階へと昇っていける。降りる場合は、逆操作である。
なお、本発明は、例えば、住宅内等で、踊り場と最上階床の高低差が小さい場合等に、特に有効に使用される。
【０００９】
このとき、請求項２に記載のように、前記枠部は、略矩形上の枠体であり、前記下階側被覆床及び前記最上階側被覆床は、略矩形状の板体であって、一辺が前記枠部に対して回動可能に取りつけられていると好適である。
このとき、具体的な適用構成としては、請求項３に記載のように、前記下階側被覆床は、前記枠体において、下階より前記移動方向転換部への移動経路の延長上の端部に配設される辺の、下階より前記移動方向転換部へ到達する経路側に回動可能に取りつけられており、前記最上階側被覆床は、前記下階側被覆床が回動可能に取りつけられた辺と略直交する辺のうち、最上階より前記移動方向転換部へ到達する経路側の辺に回動可能に取りつけられているとよい。
このように構成されていると、最上階側被覆床と下階側被覆床との開放方向を異ならせることができる。
つまり、下階側被覆床は、特に作業員が下階から移動方向転換部へと上がってきた場合には、進行方向へ向けて開くこととなる。
つまり、進行方向の先側を中心として回動開放すると、上がってきた方向に沿って押し上げることとなるため、人間工学上良好に開放を行える。
また、最上階側被覆床は、方向転換する過程で向く方向に押し上げることとなるため、こちらも人間工学上良好に開放を行える。
つまり、最上階側被覆床と下階側被覆床との開放方向を異ならせ、特に、力を必要とする板撥ね上げの際（階段登り時）に力をかける方向を作業員の動線と整合させたものである。
よって、作業員の移動効率が向上し、好適である。
【００１０】
また、このとき、請求項４に記載のように、前記枠部において、下階より前記移動方向転換部への移動経路の延長上の端部に配設される辺の、前記階段側を向く面の中央部には、立体形状の第一ストッパが前記階段方向へ向けて突出形成されており、前記下階側被覆床及び前記最上階側被覆床は、前記第一ストッパにより、前記枠部に対して下方へ回動することが阻止されて、上方へのみ回動開放されるよう構成されていると好適である。
【００１１】
このとき、更に、請求項５に記載のように、前記枠部において、下階より前記移動方向転換部への移動経路の延長上の端部に配設される辺と対向して配設される辺の、前記階段と反対側を向く面の中央部には、立体形状の第二ストッパが形成されており、前記下階側被覆床及び前記最上階側被覆床は、前記第二ストッパにより、前記枠部に対して下方へ回動することが阻止されると好適である。
【００１２】
また、第一ストッパ及び第二ストッパの具体的な下方回動阻止構成としては、請求項６に記載のように、前記下階側被覆床の下面において、前記最上階側被覆床側の端辺に沿うように下方に突出する下階側補強板が取付けられるとともに、前記最上階側被覆床の下面において、前記下階側被覆床側の端辺全長に沿うように下方に突出する最上階側補強板が取付けられており、前記下階側補強板及び前記最上階側補強板の端部には、前記下階側被覆床及び前記最上階側被覆床を閉塞した際に、前記第一ストッパ及び前記第二ストッパと嵌合する嵌合用の切欠き部が形成されていると好適である。
【００１３】
このように構成されていると、第一ストッパ及び第二ストッパによる嵌合構成により、より確実に、下階側被覆床と最上階側被覆床の下方側への回動を阻止することができるため好適である。
【００１４】
更に、このとき、請求項７のように、前記下階側被覆床において、前記枠部に回動可能に取りつけられる辺と対抗する辺側と、前記枠部と、の間には空隙が形成されていると好適である。
このように空隙を備えるよう構成されていることにより、回動時においてこの空隙が作業員の手掛かりすることができる。
また、下階側被覆床は、階段登り時には下から跳ね上げることとなるので、下階側被覆床の自重が小さくでき、下階側被覆床を跳ね上げる力を小さくすることができる。
また、この空隙から上部の様子を確認することができる。
【発明の効果】
【００１５】
本発明に係る階段設置部用仮設床によれば、開閉可能床を分割構成としたことにより、順路に沿って一方ずつ開放することができ、よって、作業員が姿勢をかがめたり頭を打つことなく方向転換部に到達するとともに、方向転換して、効率よく最上階へと昇っていける。
また、第一ストッパ及び第二ストッパを備えた構造をとることにより、開閉可能床（最上階側被覆床及び下階側被覆床）の下方回動を有効に阻止することができる。
更に、下階側被覆床と枠部の間の空隙により、作業員の手掛かりができるとともに、下階側被覆床の自重低減により作業員の回動力を少なくすることができる。また上方の状態を視認することができる。
このように、本発明によれば、下階から最上階へいくために方向転換が必要な階段において、上下階の高低差が小さい場合でも、作業員が効率的に通行することができる。
そして、この階段設置部用仮設床は、転落防止用床及び作業足場としての機能を有する。
【図面の簡単な説明】
【００１６】
【図１】本発明の一実施形態に係る階段設置部用仮設床の使用状態を示す全体説明図である。
【図２】本発明の一実施形態に係る階段設置部用仮設床を示す斜視図である。
【図３】本発明の一実施形態に係る枠部を示す三面図である。
【図４】本発明の一実施形態に係る最上階側被覆床を示す三面図である。
【図５】本発明の一実施形態に係る下階側被覆床を示す三面図である。
【図６】本発明の一実施形態に係る枠部固定状態を示す側面図である。
【図７】本発明の一実施形態に係る階段設置部用仮設床の使用方法を示す説明図である。
【発明を実施するための形態】
【００１７】
以下、本発明の一実施形態を図面に基づいて説明する。
なお、以下に説明する構成は本発明を限定するものではなく、本発明の趣旨の範囲内で種々改変することができるものである。
本実施形態は、上下階移動の途中で方向転換が必要な階段において、上下階の高低差が小さい場合でも、効率的に通行できるとともに、転落防止用床及び作業足場としての機能を有する階段設置部用仮設床に関するものである。
【００１８】
図１乃至図７は、図１は階段設置部用仮設床の使用状態を示す全体説明図、図２は階段用仮設床を示す斜視図、図３は枠部を示す三面図、図４は最上階側被覆床を示す三面図、図５は下階側被覆床を示す三面図、図６は枠部固定状態を示す側面図、図７は階段設置部用仮設床の使用方法を示す説明図である。
【００１９】
図１により、本実施形態に係る階段設置部用仮設床１の使用箇所及び使用状態について説明する。
図１に示すように、本実施形態に係る階段設置部用仮設床１は、最上階床Ｆにおける階段登り口Ｆ１（「階段設置用開口部」に相当する）に配設される。この階段登り口Ｆ１は、最上階床Ｆにおいて矩形の開口として形成されている。
【００２０】
本実施形態において、階段Ｕは、折り返し階段であり、下階から踊り場Ｕ３に亘る下階側階段Ｕ１と、踊り場Ｕ３から最上階へと亘る最上階側階段Ｕ２と、を有して構成されており、最上階側階段Ｕ２は、下階側階段Ｕ１に対して、踊り場Ｕ３において１８０°折り返して最上階へと亘っている。
この踊り場Ｕ３が、特許請求の範囲の「移動方向転換部」に相当する。
なお、本実施形態においては、折り返し階段の例を示したが、例えば、方向転換箇所を有する回り階段等の階段であっても有効に適用することができる。
【００２１】
本実施形態における階段登り口Ｆ１は、最上階側階段Ｕ１の上端側から踊り場Ｕ３上方へと開口する矩形開口であり、本実施形態に係る階段設置部用仮設床１は、当該矩形空間（階段登り口Ｆ１）を閉塞する矩形部材である。つまり、階段設置部用仮設床１は、踊り場Ｕ３上部を覆うように配設されることとなる。
なお、本実施形態においては、当該階段Ｕは、一般住宅等に設置されるような狭小箇所に設置される階段を想定しており、踊り場Ｕ３と階段設置部用仮設床１下面との距離は、通常の成人の身長よりも小さくなっている。
【００２２】
図２乃至図５により、本実施形態に係る階段設置部用仮設床１の構成について説明する。
本実施形態に係る階段設置部用仮設床１は、矩形枠体である枠部１１と、枠部１１の内部空間を閉塞するように配置される下階側被覆床１２及び最上階側被覆床１３と、を有して構成されている。
なお、この下階側被覆床１２及び最上階側被覆床１３にて、特許請求の範囲の「開閉可能床」を構成する。
【００２３】
（枠部について）
本実施形態に係る枠部１１は、略矩形状に組まれた木製の枠体である。
枠部１１は、下方階段昇方向奥側辺部１１Ａと、下方階段側辺部１１Ｂと、上方階段側辺部１１Ｃと、下方階段昇方向手前側辺部１１Ｄと、を有し、これらを略矩形枠状に組み立てた構成となっている。
下方階段昇方向奥側辺部１１Ａは、最終的には、下方に開口する有底筐体状（つまり、開口を下方へ向けた断面凹形状）に組み上げられる。
【００２４】
詳しく説明すると、内側に配設される奥側内平板１１ａと、外側に配設される奥側外平板１１ｂと、を平行に対向させ、それらの間を補強片１１１で架橋した梯子状の部材を組み、この上方開口部を、平板状の奥側天面板１１ｃで閉塞した形状をとる。
【００２５】
なお、この奥側天面板１１ｃは、奥側内平板１１ａの上端面を控えて配置（つまり、奥側内平板１１ａの上端面が露出するように配置）されている。
よって、奥側天面板１１ｃの内側端面と、奥側内平板１１ａとの間には空間が形成され（つまり、奥側天面板１１ｃの厚み分の段差が形成され）る。この空間を「奥側係止空間Ｋ１」とする。
また、下側階段昇方向奥側辺部１１Ａの内側面（開口側面）中央部、つまり奥側内平板１１ａの内側面（開口側面）中央部には、略四角柱形状の奥側ストッパ１１２が突設されている。
【００２６】
そして、下方階段側辺部１１Ｂは、下方階段昇方向奥側辺部１１Ａの下方側階段Ｕ１側端部に、当該下方階段昇方向奥側辺部１１Ａに対して垂直且つ地表面と水平となるとともに、下方階段側へむけて突出するよう配設されている。
同様に、上方階段側辺部１１Ｃは、下方階段昇方向奥側辺部１１Ａの上方側階段Ｕ２側端部に、当該下方階段昇方向奥側辺部１１Ａに対して垂直且つ地表面と水平となるとともに、上方階段側へむけて突出するよう配設されている。
【００２７】
これら下方階段側辺部１１Ｂ及び上方階段側辺部１１Ｃは、下方階段昇方向奥側辺部１１Ａと同様、最終的には、下方に開口する有底筐体状（つまり、開口を下方へ向けた断面凹形状）に組み上げられる。
まず、下方階段側辺部１１Ｂについて詳しく説明すると、内側に配設される下階段側内平板１１ｄと、外側に配設される下階段側外平板１１ｅと、を平行に対向させ、それらの間を補強片１１１で架橋した梯子状の部材を組み、この上方開口部を、平板状の下階段側天面板１１ｆで閉塞した形状をとる。
【００２８】
なお、この下階段側天面板１１ｆは、下階段側内平板１１ｄの上端面を控えて配置（つまり、下階段側内平板１１ｄの上端面が露出するように配置）されている。
よって、下階段側天面板１１ｆの内側端面と、下階段側内平板１１ｄとの間には空間が形成され（つまり、下階段側天面板１１ｆの厚み分の段差が形成され）る。この空間を「下階段側係止空間Ｋ２」とする。
【００２９】
次いで、上方階段側辺部１１Ｃについて詳しく説明すると、内側に配設される上階段側内平板１１ｇと、外側に配設される上階段側外平板１１ｈと、を平行に対向させ、それらの間を補強片１１１で架橋した梯子状の部材を組み、この上方開口部を、平板状の上階段側天面板１１ｉで閉塞した形状をとる。
なお、この上階段側天面板１１ｉは、上階段側内平板１１ｇの上端面を控えて配置（つまり、上階段側内平板１１ｇの上端面が露出するように配置）されている。
よって、上階段側天面板１１ｉの内側端面と、上階段側内平板１１ｇとの間には空間が形成され（つまり、上階段側天面板１１ｉの厚み分の段差が形成され）る。この空間を「上階段側係止空間Ｋ３」とする。
なお、これら下方階段側辺部１１Ｂ及び上方階段側辺部１１Ｃとは、同長且つ平行となるように配設されるものである。
【００３０】
下方階段昇方向手前側辺部１１Ｄは、矩形平板状の板体であり、下方階段側辺部１１Ｂ及び上方階段側辺部１１Ｃの端部（下方階段昇方向奥側辺部１１Ａと連結されていない側の端部）を架橋するように配設される。
この際、下方階段昇方向手前側辺部１１Ｄは、下階段側内平板１１ｄ及び下階段側外平板１１ｅの手前側（下方階段側）端部、上階段側内平板１１ｇ及び上階段側外平板１１ｈの手前側（下方階段側）端部、に取付けられる。
つまり、下方階段昇方向手前側辺部１１Ｄの上端面側には、下階段側天面板１１ｆ及び上階段側天面板１１ｉの厚み分の空間が形成される。この空間を「手前側係止空間Ｋ４」とする。
なお、この下方階段昇方向手前側辺部１１Ｄの内側（下方階段昇方向奥側辺部１１Ａ側を向く面）中央部には、略四角柱形状の手前側ストッパ１１３が突設されている。
【００３１】
（下階側被覆床について）
本実施形態に係る下階側被覆床１２は、下階側板部１２Ａと、下階側補強板１２Ｂと、を有して構成されている。
下階側板部１２Ａは、矩形状平板体であり、枠部１１の開口において、下階側階段Ｕ１側の約半分の面積を閉塞するものである。
この下階側板部１２Ａは、一つの短辺が下方階段昇方向奥側辺部１１Ａ（奥側天面板１１ｃ）に、蝶番Ｇにより取付けられ、この蝶番Ｇを中心に回動可能となっている。
【００３２】
そして、この下階側板部１２Ａの長辺は、下方階段側辺部１１Ｂ及び上方階段側辺部１１Ｃよりも短くなるよう形成されており、よって、閉塞時には、下階側板部１２Ａの短辺（蝶番Ｇが取り付けられる短辺と対向する短辺）と下方階段昇方向手前側辺部１１Ｄとの間には、空隙Ｋ５が形成される。
この空隙Ｋ５により、下階側被覆床１２を回動させる際の手掛かりができるとともに、下階側被覆床１２の重量がこの空隙Ｋ５分軽くなるため、回動させるための力を小さくすることができる。
また、下階側階段Ｕ１を上がる作業員が上方の様子を視認することが可能となる。
【００３３】
下階側補強板１２Ｂは、略矩形平板であり、下階側板部１２Ａの長辺のうち、内側に配設される長辺（後述する最上階側板部１３Ａと隣接する側の長辺）に沿って、下方に突出するように配設される。
なお、下階側補強板１２Ｂは、枠部１１の開口奥行（つまり、下方階段昇方向奥側辺部１１Ａと下方階段昇方向手前側辺部１１Ｄに亘る長さ）と同等の長さに形成されており、その両端部の下方端は、矩形に切欠かれた下階側嵌合切欠き部１２１，１２１が形成されている。
【００３４】
この下階側嵌合切欠き部１２１，１２１は、下階側被覆床１２を閉塞した際に、奥側ストッパ１１２及び手前側ストッパ１１３と各々嵌合し、よって、下階側被覆床１２が、枠部１１よりも下方に回動することが阻止される。
【００３５】
このように形成された下階側被覆床１２を構成する下階側板部１２Ａは、閉塞状態において、その奥側端部が奥側係止空間Ｋ１に配設される。つまり、下階側板部１２Ａの奥側端部下面は、閉塞状態において、奥側天面板１１ｃの天面部分に載置係止されることとなる。よって、枠部１１より下方へと回動することが有効に回避される。
同様に下階側板部１２Ａは、閉塞状態において、その外側端部が、下階段側係止空間Ｋ２に配設される。つまり下階側板部１２Ａの外側端部下面は、閉塞状態において、下階段側内平板１１ｄに載置係止されることとなる。
【００３６】
このように、奥側ストッパ１１２及び手前側ストッパ１１３への嵌合構造及び各端部の載置係止により、下階側被覆床１２が、枠部１１よりも下方に回動することが有効に阻止されている。
また、矩形平板状の下階側補強桟を、下階側板部１２Ａの下面において、相対向する長辺間を架橋するように配置して、下階側板部１２Ａを補強してもよい。
【００３７】
（最上階側被覆床について）
本実施形態に係る最上階側被覆床１３は、最上階側板部１３Ａと、最上階側補強板１３Ｂと、を有して構成されている。
最上階側板部１３Ａは、矩形状平板体であり、枠部１１の開口において、最上階側階段Ｕ２側の約半分の面積を閉塞するものである。
この最上階側板部１３Ａは、一つの長辺が上方階段側辺部１１Ｃに、蝶番Ｇにより取付けられ、この蝶番Ｇを中心に回動可能となっている。
【００３８】
最上階側補強板１３Ｂは、略矩形平板であり、最上階側板部１３Ａの長辺のうち、内側に配設される長辺（下階側板部１２Ａと隣接する側の長辺）に沿って、下方に突出するように配設される。
なお、最上階側補強板１３Ｂは、枠部１１の開口奥行（つまり、下方階段昇方向奥側辺部１１Ａと下方階段昇方向手前側辺部１１Ｄに亘る長さ）と同等の長さに形成されており、その両端部の下方端は、矩形に切欠かれた最上階側嵌合切欠き部１３１，１３１が形成されている。
【００３９】
この最上階側嵌合切欠き部１３１，１３１は、最上階側被覆床１３を閉塞した際に、奥側ストッパ１１２及び手前側ストッパ１１３と各々嵌合し、よって、最上階側被覆床１３が、枠部１１よりも下方に回動することが阻止される。
【００４０】
このように形成された最上階側被覆床１３を構成する最上階側板部１３Ａは、閉塞状態において、その奥側端部が奥側係止空間Ｋ１に配設される。つまり、最上階側板部１３Ａの奥側端部下面は、閉塞状態において、奥側天面板１１ｃの天面部分に載置係止されることとなる。よって、枠部１１より下方へと回動することが有効に回避される。
【００４１】
同様に、最上階側板部１３Ａは、その外側端部が、閉塞状態において、上階段側係止空間Ｋ３に配設される。つまり最上階側板部１３Ａの外側端部下面は、閉塞状態において、上階段側内平板１１ｇに載置係止されることとなる。
更に、同様に、最上階側板部１３Ａは、閉塞状態において、その手前側端部が、手前側係止空間Ｋ４に配設される。つまり、最上階側板部１３Ａの手前側端部下面は、閉塞状態において、下方階段昇方向手前側辺部１１Ｄの天面に載置係止されることとなる。
【００４２】
このように、奥側ストッパ１１２及び手前側ストッパ１１３への嵌合構造及び各端部の載置係止によりにより、最上階側被覆床１３が、枠部１１よりも下方に回動することが有効に阻止されている。
また、矩形平板状の最上階側補強桟を、最上階側板部１３Ａの下面において、相対向する長辺間を架橋するように配設し、最上階側板部１３Ａを補強してもよい。
【００４３】
上記のように構成されているため、下階側被覆床１２は、下階から下階側階段を上がってくる作業員の進行方向に回動して上方へ跳ね上げられ、最上階側被覆床１３は、下階側被覆床１２の回動方向と９０°ずれた方向に回動して上方へと跳ね上がる。
つまり、下階側被覆床１２と最上階側被覆床１３とは、異なる方向に回動して跳ね上げられるよう構成されている。
また、上記のように構成されているため、閉塞時において、最上階側板部１３Ａ天面、下階側板部１２Ｂ天面、枠部１１天面は面一となる。
【００４４】
（階段設置部用仮設床の取付方法について）
次いで、図６により、階段設置部用仮設床１の取付方法の一例について簡単に説明する。
図６（ａ）は、Ｈ型鋼の床梁Ｔ１部分への取付例である。
第一取付金物Ｍ１は、断面コ字形状の金物と断面Ｌ字形状の金物とを組合わせて（溶接して）形成された金物であり、図に示すように、断面コ字形状の金物をＨ型鋼のフランジ部分に引っ掛けた状態で固定し、断面Ｌ字形状の金物の上面部分に枠部１１の下端部を固定する。
また、図６（ｂ）は、溝型鋼の胴差Ｔ２部分への取付例である。
第二取付金物Ｍ２は、断面Ｌ字形状の金物であり、この一方の壁部をワンサイドボルトＭ２１で胴差Ｔ２に固定し、他方の壁部の上面に枠部１１の下端部を固定する。
【００４５】
（階段設置部用仮設床の使用方法について）
次いで、図７により、本実施形態に係る階段設置部用仮設床１の使用方法を説明する。
下階から最上階へと作業員が通行する場合の説明を行う。
作業員が下階側階段Ｕ１を上がり、階段設置部用仮設床１の配設高さに到達した場合、作業員は、下階側被覆床１２を押し上げて、下方階段昇方向奥側辺部１１Ａ（に取付けられた蝶番Ｇ部分）を中心に下階側被覆床１２を回動開放させる。
このとき、作業員は、この下階側被覆床１２の回動方向へと進んできているため、力の付加方向が人間工学的に効率的である。
【００４６】
次いで、作業員は、この下階側被覆床１２を開放した部分から頭部（上半身）を突出させ、踊り場Ｕ３に到着し、方向を転換する。
そして、方向転換途中（およす９０°程度方向を転換した時点）で、最上階側被覆床１３に対面すると、作業員は、この最上階側被覆床１３を押し上げて、上方階段側辺部１１Ｃ（に取付けられた蝶番Ｇ部分）を中心に最上階側被覆床１３を回動開放させる。
このとき、作業員は、上方階段側辺部１１Ｃ方向に態勢を転換しているため、力の付加方向が人間工学的に効率的である。
そして、作業員は、最上階開放床１３を開放した部分から、最上階側階段Ｕ２を上がり、最上階床Ｆへと到達することができる。
次いで、下階側被覆床１２及び最上階側被覆床１３を元のように閉鎖すれば、階段登り口Ｆ１は、閉塞されるため、作業員が作業中に誤って転落することを有効に防止できるとともに、作業用の床としても機能する。
【符号の説明】
【００４７】
１  階段設置部用仮設床
１１  枠部
１１Ａ  下方階段昇方向奥側辺部
１１ａ  奥側内平板
１１ｂ  奥側外平板
１１ｃ  奥側天面板
Ｋ１  奥側係止空間
１１１  補強片
１１２  奥側ストッパ（第一ストッパ）
１１Ｂ  下方階段側辺部
１１ｄ  下階段側内平板
１１ｅ  下階段側外平板
１１ｆ  下階段側天面板
Ｋ２  下階段側係止空間
１１Ｃ  上方階段側辺部
１１ｇ  上階段側内平板
１１ｈ  上階段側外平板
１１ｉ  上階段側天面板
Ｋ３  上階段側係止空間
１１Ｄ  下方階段昇方向手前側辺部
Ｋ４  手前側係止空間
１１３  手前側ストッパ（第二ストッパ）
１２  下階側被覆床
１２Ａ  下階側板部
１２Ｂ  下階側補強板
１２１  下階側嵌合切欠き部
Ｋ５  空隙
１３  最上階側被覆床
１３Ａ  最上階側板部
１３Ｂ  最上階側補強板
１３１  最上階側嵌合切欠き部
Ｇ  蝶番
Ｆ  最上階床
Ｆ１  階段登り口（階段配置用開口部）
Ｕ  階段
Ｕ１  下階側階段
Ｕ２  最上階側階段
Ｕ３  踊り場（移動方向転換部）
Ｍ１  第一取付金物
Ｍ２  第二取付金物
Ｍ２１  ワンサイドボルト
Ｔ１  床梁
Ｔ２  胴差
【図１】
0006429568.tif 000002
【図２】
0006429568.tif 000003
【図３】
0006429568.tif 000004
【図４】
0006429568.tif 000005
【図５】
0006429568.tif 000006
【図６】
0006429568.tif 000007
【図７】
0006429568.tif 000008